(57)【要約】【課題】  呼出表示装置と紙幣識別機を一体にすることにより、コストダウンを図るとともにメンテナンス等も容易に行え、遊技媒体貸出機の異常等を明確に報知する紙幣識別装置付呼出表示装置を提供することを目的とする。【解決手段】呼出表示機能を備えたユニット本体と、該ユニット本体に設けられた紙幣投入口と、該紙幣投入口の奥部に位置して本体内に備えられた紙幣識別装置と、からなる１つのユニットとして構成される。【選択図】    図１
2005192683.tif 000002
【特許請求の範囲】
【請求項１】
隣接して配設された遊技機と、遊技機間に設けられた遊技媒体貸出機と、からなる遊技機島の前記遊技機にそれぞれ設けられ、
呼び出し用の押ボタンと、不具合が発生した場合等にその旨を知らせる報知手段と、遊技情報等を表示する表示部と、を有する呼出表示装置において、該呼出表示装置本体に開口して設けられた紙幣投入口と、該紙幣投入口の奥部に位置して前記本体内に備えられた紙幣の真贋を識別する紙幣識別装置と、からなる１つのユニットとして構成されていることを特徴とする紙幣識別装置付呼出表示装置。
【請求項２】
上記ユニットが、遊技機島を構成する各遊技機の上部近傍に取り付けられ、さらに外装パネルが着脱可能に固定されていることを特徴とする請求項１記載の紙幣識別装置付呼出表示装置。
【請求項３】
上記ユニットは、紙幣投入口の前面に紙幣投入口カバーと、紙幣投入口カバーの一端に施錠装置とが備えられ、該施錠装置の操作により紙幣投入口カバーを開閉可能に構成され、さらに前記紙幣識別装置が着脱可能に固定されていることを特徴とする請求項１又は請求項２記載の紙幣識別装置付呼出表示装置。
【請求項４】
上記ユニットは、遊技機島を構成する遊技機及び該遊技機に対応する遊技媒体貸出機それぞれと接続され、前記紙幣識別機の信号及び、前記遊技機及び遊技媒体貸出機からの信号を受け、それらの信号から異常発生と判断した際、表示部により異常の発生を報知することを特徴とする請求項１から請求項３いずれかに記載の紙幣識別装置付呼出表示装置。
【発明の詳細な説明】
【技術分野】
【０００１】  本発明は、遊技機と遊技媒体貸出機とが配設された遊技機島を構成する複数の遊技機のそれぞれに対応して設けられた呼出表示装置に、前記遊技媒体貸出機から遊技媒体を借りるために紙幣を投入する紙幣投入口と投入された紙幣の真贋を判別する紙幣識別部を有する紙幣識別装置を設けて一つのユニットとした呼出表示装置に関する。
【背景技術】
【０００２】  通常、遊技機島は、遊技機と遊技媒体貸出機を交互に並設してなり、前記遊技機島が複数集まって一つの遊技場を構成する。【０００３】  前記遊技機島における各遊技機の上方には呼出表示装置が設けられている。前記呼出表示装置は、大当り信号等の遊技において発生する信号、及び呼び出しスイッチの押圧操作により発生する信号に基づいて表示駆動され、その旨を照明表示によって報知するようになっている。【０００４】  また、前記遊技機島における遊技媒体貸出機の上方に設けられた紙幣投入口から投入された紙幣は、紙幣識別装置を介し、真券と識別されない場合は紙幣投入口に戻され、真券と識別された場合は紙幣識別装置近傍に備えられた紙幣収納庫あるいは、紙幣搬送装置により島端部に設けられた紙幣回収金庫に収容される。
【発明の開示】
【発明が解決しようとする課題】
【０００５】  しかしながら、上述のような島を構成する各遊技機に対応して表示装置および紙幣識別機を別個に設けていたため、取付け箇所が多く組付けと配線等の保守点検等に手間を要していた。【０００６】  本発明は、以上の問題を鑑みてなされたものであり、その目的は、呼出表示装置と紙幣識別機を一体化することによりコストダウンを図るとともにメンテナンス等も容易に行えるようにすることを目的とする。
【課題を解決するための手段】
【０００７】  上記課題を解決するため、本発明の請求項１に記載の発明は、隣接して配設された遊技機と遊技媒体貸出機とからなる遊技機島において、呼出表示機能を備えたユニット本体と、該ユニット本体に設けられた紙幣投入口と、該紙幣投入口の奥部に位置して本体内に備えられた紙幣識別装置と、からなるユニットとして構成したことを特徴とする。【０００８】  本発明の請求項１に係る紙幣識別装置付呼出表示装置によると、遊技機用呼出表示装置と紙幣識別装置を一体化して制御基板及びランプ、７セグメント等の表示部を共用することにより、コストダウンを図ることができる。【０００９】  さらに、表示部を共用することにより、紙幣識別装置や遊技媒体貸出機の異常表示をより明確に遊技場従業員に認識させることが可能となるため、遊技媒体貸出機に異常をきたし遊技媒体を不正に抜き出す等の不正な行為、所謂ゴト行為を早期に発見することができ、ゴト行為による被害を抑えることが可能となる。【００１０】  請求項２に記載の発明は、請求項１に記載の上記ユニット本体が、遊技機島を構成する各遊技機の上部近傍に取り付けられ、さらに外装パネルは着脱可能に固定されることを特徴とする。【００１１】  この発明では、外装パネルを着脱可能にすることにより容易に外観を変えられるため、複数種類の外装パネルを使用することによりその遊技場独自のレイアウトができ、他店との差別化を図ることが可能となる。【００１２】  さらに、各遊技機の上部近傍に取り付けることにより、紙幣識別装置の近傍に紙幣収納庫を設置することが可能なだけでなく、既に遊技機島に配設された紙幣搬送装置にも対応でき、島中、ランプ面どちらの紙幣搬送装置にも設置可能となる。【００１３】  請求項３に記載の発明は、請求項１又は請求項２の何れかに記載の遊技機島の紙幣識別装置付呼出表示装置において、上記ユニット本体は、紙幣投入口の前面に紙幣投入口カバーと、紙幣投入口カバーの一端に施錠装置とが備えられ、該施錠装置の操作により紙幣投入口カバーが開閉可能に構成され、さらに紙幣識別装置が着脱可能に固定されていることを特徴とする。【００１４】  このことにより、紙幣が詰まってしまった場合などに紙幣投入口カバーを開き、紙幣識別装置を引き出すことによって容易に問題を解決することが可能となる。
さらに、紙幣識別装置のメンテナンスや、故障により交換が必要な場合にも、紙幣識別装置の交換作業を容易に行うことが可能となる。【００１５】  請求項４に記載の発明は、請求項３に記載の遊技機島の紙幣識別装置付呼出表示装置において、紙幣投入信号と貸出機の払出信号等から異常を検知した際に、表示部により異常を報知することを特徴とする。【００１６】  このことにより、遊技媒体貸出機に異常をきたし遊技媒体を抜き出す等の不正な行為、所謂ゴト行為が行われた際、異常を検知し表示部に信号を送ることが可能になる。
【発明の効果】
【００１７】  以上のように、遊技機用呼出表示装置と紙幣識別装置を一体化することにより、表示部を共用することができるので、コストダウンを図ることができるとともに取付けユニットの数を半減し組み付けの手間を少なくし、保守点検も容易となる。さらに、遊技媒体貸出機の異常を検知し表示部で報知することにより、紙幣識別装置や遊技媒体貸出機の異常表示をより明確に遊技場従業員に報知できるので、ゴト行為を早期に発見し被害を抑えることが可能となる。また、外装パネルを交換可能にすることにより自由なレイアウトが可能となり、さらに紙幣投入口カバーに施錠装置を備えることで遊技場従業員以外の遊技客には不正な開閉操作ができないようになり、紙幣識別装置を着脱可能にすることにより紙幣識別装置の交換、保守点検も容易になる。また、遊技機の上部近傍に取り付けることにより、紙幣識別装置近傍に紙幣収納庫を設けることができる。あるいは、遊技機列前面上方の呼出ランプ面、または島中どちらの紙幣搬送装置にも設置可能となる。
【発明を実施するための最良の形態】
【００１８】  本発明に係る紙幣識別装置付呼出表示装置について好適な実施の形態を挙げ、添付図面を参照しながら以下詳細に説明する。【００１９】  図１は本発明に係る紙幣識別装置付呼出表示装置の正面図、図２は本発明の実施に係る紙幣識別装置付呼出表示装置の、遊技機島における使用例を示すものである。図３は紙幣識別装置付呼出表示装置の要部の斜視図である。なお、図１、図２及び図３における実施例では、遊技媒体はメダルを使用するものとして説明する。【００２０】  図２において、遊技機２１は本実施の形態ではスロットマシンである。遊技媒体貸出機２２は本実施の形態では台間メダル貸出機である。遊技媒体貸出機２２は、各遊技機２１の間にそれぞれの遊技機２１に対応させて１台づつ設置する。対応する遊技機２１と遊技媒体貸出機２２とはそれぞれ接続される。遊技媒体貸出機２２と遊技機２１が交互に連続することでいわゆる遊技機島が構成され、各遊技機２１の前面側上部には本発明に係る紙幣識別装置付呼出表示装置１が設けられる。【００２１】  上記紙幣識別装置付呼出表示装置１は、図１に示すように、呼出し用の押ボタン２、表示部３、表示切替ボタン４、異常等を報知するための表示ランプ５、紙幣投入口６、紙幣識別装置７を備えるユニットからなり、該ユニットの前面側は外装パネル８により構成されている。【００２２】  上記紙幣投入口６は、遊技媒体貸出機２２の紙幣投入口として利用されるようになっており、紙幣識別装置７の前面に開口して設けられ、紙幣は、前方から後方へ紙幣投入口６に投入される。【００２３】  また、図３に示すように、紙幣投入口６の前面には紙幣投入口カバー９が設けられる。さらに、該紙幣投入口カバー９の一端には施錠装置１０が備えられ、施錠装置１０の操作により開閉可能になっており、この施錠装置１０により不正な開閉操作が行えないようになっている。【００２４】  上記紙幣識別装置７は、図３に図示されるようにユニット内部に着脱可能に備えられ、それぞれの遊技機２１に接続される遊技媒体貸出機２２とに接続される。また、上記紙幣識別装置７は、投入された紙幣の真贋を識別するものであり、投入された紙幣は、真券であれば紙幣搬送装置（図示せず）へ送りだされ、真券と識別しない時は、紙幣投入口６へ戻される。【００２５】  また、紙幣識別装置７にて真券と識別された場合、その旨が遊技媒体貸出機２２に伝達され、遊技媒体貸出機２２内部に設けた遊技媒体払出装置（図示せず）から投入した紙幣に相当する量の遊技媒体が貸し出される。【００２６】  上記押ボタン２は、ユニットの表面端部に設けられ遊技場従業員を呼びたいとき等に遊技客が利用する。また、上記表示切替ボタン４は、表示部３の表示内容を切り替えたいとき等に遊技客が利用する。【００２７】  上記表示ランプ５は、ユニット１の表面部に設けられ、この実施の形態ではＬＥＤ等からなる。また、上記表示部３はユニット１の表面部に設けられ、この実施の形態ではドットマトリクス、７セグメント等からなり、前記表示切替ボタン４により当日又は過去数日間の遊技情報等が表示されるようになっている。【００２８】  上記外装パネル８は、ユニット１の前面に着脱可能に取り付けられ、容易に交換することが��能となっている。
【図面の簡単な説明】
【００２９】
【図１】  本発明に係る紙幣識別装置付呼出表示装置の正面図である。
【図２】  本発明の実施に係る紙幣識別装置付呼出表示装置の、遊技機島における使用例を示す図である。
【図３】  紙幣識別装置付呼出表示装置の要部の斜視図である。
【符号の説明】
【００３０】    １…紙幣識別装置付呼出表示装置
２…押ボタン
３…表示部
４…表示切替ボタン
５…表示ランプ
６…紙幣投入口
７…紙幣識別装置
８…外装パネル
９…紙幣投入口カバー
１０…施錠装置
２１…遊技機
２２…遊技媒体貸出機
【図１】
2005192683.tif 000003
【図２】
2005192683.tif 000004
【図３】
2005192683.tif 000005